(57)【要約】【課題】通紙モードに応じて記録媒体の搬送経路を変えることによって、防汚効果の耐久性を向上させる画像読み取り装置、及びこれを搭載するレーザプリンタ、ファクシミリ等の画像形成装置を提供する。【解決手段】記録媒体を１枚毎に分離する分離部Ｂと、分離された記録媒体を読み取り搬送部へ搬送する搬送手段１２、１４と、搬送された記録媒体の第１面を読み取る第１面読み取り部Ｅと、記録媒体の第２面を読み取る第２面読み取り部Ｆと、前記第２面読み取り部の読み取りユニット２５に対向して配置されかつ移動可能であるシェーディング時の基準となる機能を有するガイド手段２６と、前記搬送手段１２、１４を駆動する駆動手段３４を備えた画像読み取り装置において、前記固定された読み取りユニット２５と前記シェーディング部材２６との距離を変化し得る距離可変装置４４、４５、４６、４７、４８、４９を含む構成である。【選択図】図１
2007329769.tif 000002
【特許請求の範囲】
【請求項１】
記録媒体を１枚毎に分離する分離部と、分離された記録媒体を読み取り搬送部へ搬送する搬送手段と、搬送された記録媒体の第１面を読み取る第１面読み取り部と、記録媒体の第２面を読み取る第２面読み取り部と、前記第２面読み取り部の読み取りユニットに対向して配置されかつ移動可能であるシェーディング補正時の基準となる機能を有するガイド手段と、前記搬送手段を駆動する駆動手段と、を備えた画像読み取り装置において、前記読み取りユニットと前記ガイド手段との距離を変化させる距離可変装置を含む構成であることを特徴とする画像読み取り装置。
【請求項２】
前記読み取りユニットと前記ガイド手段との距離を駆動手段を用いて変化させることを特徴とする請求項１記載の画像読み取り装置。
【請求項３】
前記駆動手段は１つであることを特徴とする請求項２記載の画像読み取り装置。
【請求項４】
前記読み取りユニットと前記ガイド手段との距離の変化は、読み取りモードに対応して行なわれることを特徴とする請求項１乃至３の何れか１項に記載の画像読み取り装置。
【請求項５】
前記ガイド手段の長手方向両端部付近を支持／加圧することによって前記読み取りユニットとの間の距離を変化させることを特徴とする請求項１乃至４の何れか１項に記載の画像読み取り装置。
【請求項６】
前記ガイド手段の中央部付近を支持／加圧することによって前記読み取りユニットと前記ガイド手段の距離を変化させることを特徴とする請求項請求項１乃至４の何れか１項に記載の画像読み取り装置。
【請求項７】
複数の支持／加圧部材を繋ぐ連結部材は金属からなることを特徴とする請求項５、又は６記載の画像読み取り装置。
【請求項８】
前記複数の加圧部材はこれらの加圧部材を繋ぐ前記連結部材を支点として回動することを特徴とする請求項７記載の画像読み取り装置。
【請求項９】
前記支点から前記加圧部材が前記ガイド手段を加圧する点までの距離は、前記支点から前記加圧部材を駆動手段で加圧する点よりも短いことを特徴とする請求項８記載の画像読み取り装置。
【請求項１０】
請求項１乃至９の何れか１項に記載の画像読み取り装置を搭載することを特徴とするレーザビームプリンタ。
【請求項１１】
請求項１乃至９の何れか１項に記載の画像読み取り装置を搭載することを特徴とするファクシミリ。
【請求項１２】
請求項１乃至９の何れか１項に記載の画像読み取り装置を搭載することを特徴とすることを特徴とする画像形成装置。
【発明の詳細な説明】
【技術分野】
【０００１】
本発明は、複写機等の画像形成装置において記録媒体（原稿）を搬送、読み取りかつ排紙処理する画像読み取り装置、及びこれを搭載するレーザプリンタ、ファクシミリ等の画像形成装置に関するものである。
【背景技術】
【０００２】
複写機等の画像形成装置において、読み取り部を固定して記録媒体（原稿）を搬送しながら読み取りを行うシートスルーＤＦにおいては、読み取り部に異物が滞留、付着した場合には異常画像（スジ画像）となって現れるため、この不都合を解消するために幾つかの技術が知られている（例えば、特許文献１及び２参照）。
上記不都合を解消するために、特許文献１では、読み取り位置上のガイド部材を回動可能とした構成を開示している。また、特許文献２では、一部円形でないシェーディング機能を持つガイド板のシェーディング面と搬送面に分けて使用する構成を開示している。
【特許文献１】特開２００１−２３８０４７公報
【特許文献２】特開２００２−５１１９４公報
【発明の開示】
【発明が解決しようとする課題】
【０００３】
また、読み取り部に異物が滞留、付着した場合には異常画像（スジ画像）となって現れるという問題を解決するために、読み取り位置上に防汚処理を施している技術も知られているが、記録媒体が読み取り位置に接触するために記録媒体の通過回数に比例して防汚効果が低下するという問題がある。
そこで、本発明の目的は、通紙モードに応じて記録媒体の搬送経路を変えることによって、防汚効果の耐久性を向上させる画像読み取り装置、及びこれを搭載するレーザプリンタ、ファクシミリ等の画像形成装置を提供することにある。
【課題を解決するための手段】
【０００４】
上記の課題を解決するために、請求項１に記載の発明は、記録媒体を１枚毎に分離する分離部と、分離された記録媒体を読み取り搬送部へ搬送する搬送手段と、搬送された記録媒体の第１面を読み取る第１面読み取り部と、記録媒体の第２面を読み取る第２面読み取り部と、前記第２面読み取り部の読み取りユニットに対向して配置されかつ移動可能であるシェーディング時の基準となる機能を有するガイド手段と、前記搬送手段を駆動する駆動手段を備えた画像読み取り装置において、前記固定された読み取りユニットと前記ガイド手段との距離を変化し得る距離可変装置を含む構成である画像読み取り装置を特徴とする。
また、請求項２に記載の発明は、前記読み取りユニットと前記ガイド手段との距離の変化は駆動手段を用いて行なう請求項１記載の画像読み取り装置を特徴とする。
また、請求項３に記載の発明は、前記駆動手段は１つである請求項２記載の画像読み取り装置を特徴とする。
また、請求項４に記載の発明は、前記読み取りユニットと前記ガイド手段との距離の変化は、読み取りモードに対応して行なわれる請求項１乃至３の何れか１項に記載の画像読み取り装置を特徴とする。
また、請求項５に記載の発明は、前記ガイド手段の両端部付近を支持／加圧することによって前記読み取りユニットと前記ガイド手段の距離を変化させる請求項１乃至４の何れか１項に記載の画像読み取り装置を特徴とする。
また、請求項６に記載の発明は、前記ガイド手段の中央部付近を支持／加圧することによって前記読み取りユニットと前記ガイド手段の距離を変化させる請求項１乃至４の何れか１項に記載の画像読み取り装置を特徴とする。
【０００５】
また、請求項７に記載の発明は、複数の支持／加圧部材を繋ぐ連結部材は金属からなる請求項５、又は６記載の画像読み取り装置を特徴とする。
また、請求項８に記載の発明は、前記複数の加圧部材はこれらの加圧部材を繋ぐ前記連結部材を支点として回動する請求項７記載の画像読み取り装置を特徴とする。
また、請求項９に記載の発明は、前記支点から前記加圧部材が前記ガイド手段を加圧する点までの距離は、前記支点から前記加圧部材を駆動手段で加圧する点よりも短い請求項８記載の画像読み取り装置を特徴とする。
また、請求項１０に記載の発明は、請求項１乃至９の何れか１項に記載の画像読み取り装置を搭載するレーザビームプリンタを特徴とする。
また、請求項１１に記載の発明は、請求項１乃至９の何れか１項に記載の画像読み取り装置を搭載するファクシミリを特徴とする。
また、請求項１２に記載の発明は、請求項１乃至９の何れか１項に記載の画像読み取り装置を搭載することを特徴とする画像形成装置を特徴とする。
【発明の効果】
【０００６】
本発明によれば、読み取りユニットとガイド手段の距離が可変であることにより、モードによっての搬送経路の変更が可能となり品質に影響することなく読み取りユニットの防汚性能の耐久性向上が可能となる。読み取りユニットとガイド手段（シェーディング部剤）間の距離が可変であることにより、モードによっての搬送経路の変更が可能となり品質に影響することなく読み取りユニットの防汚性能の耐久性向上が可能となる。
【発明を実施するための最良の形態】
【０００７】
以下、図面を参照して、本発明の実施の形態を詳細に説明する。図１は自動原稿搬送装置の全体構成を示す概略図である。図２は図１の自動原稿搬送装置の駆動制御部を示すブロック図である。
図１には、被読み取り記録媒体（原稿）を固定の読み取り部に所定の速度で搬送しながら画像読み取りを行う装置に用いられる、自動原稿搬送装置又は被読み取り記録媒体処理装置（以下、ＡＤＦ）及び読み取りユニットを示している。
以下、その基本的な構成、動作、作用を図１に基づき説明する。ＡＤＦは、被読み取り両面記録媒体束をセットする記録媒体セット部Ａ、セットされた両面記録媒体束から１枚毎に記録媒体（原稿）を分離して給送する分離給送部Ｂ、給送された記録媒体の表面を一次突き当て整合する働きと、整合後の記録媒体を引き出し搬送する働きのレジスト部Ｃを含んでいる。
また、ＡＤＦは、搬送される記録媒体をターンさせて記録媒体面を読み取り側（下流側）に向けて搬送するターン部Ｄ、記録媒体の画像をコンタクトガラスの下方より読み取りを行わせる第１面の読み取り搬送部Ｅ、第１面の読み取り後に記録媒体の第２面の読み取りを行わせる第２面読み取り搬送部Ｆを含んでいる。
さらに、ＡＤＦは、第２面読み取り部Ｆ部にて第２面を読み取られた記録媒体を、機外に排出する排紙部Ｇ、読み取り完了後の記録媒体を積載保持するスタック部Ｈを含んでいる。
さらにまた、ＡＤＦは、図２に示すように、上述した搬送動作の駆動を行う駆動部３３〜３７及び３８、さらに、一連の動作を制御するコントローラ部３９とから構成されている。
【０００８】
ＡＤＦの下のコンタクトガラス２１で覆われた本体部分５０は第１面の読み取り搬送部Ｅの読み取り位置２０の下に配置された、図示してない読み取り・書き込み装置、作像装置、給紙装置、操作部、本体制御部等を備えたレーザプリンタ、ファクシミリ等の画像形成装置として構成されている。
読み取りを行う記録媒体束１は、可動記録媒体テーブル３を含む記録媒体テーブル２上に、記録媒体面を上向きの状態でセットされる。さらに、記録媒体束１の巾方向を図示しないサイドガイドによって搬送方向と直交する方向に位置決めを行う。記録媒体のセットはセットフィラー４、セットセンサ５により検知され、Ｉ／Ｆ４０により本体制御部４１に送信される。
さらに、記録媒体テーブル３面に設けられた記録媒体長さ検知センサ３０又は３１（反射型センサ、又は記録媒体１枚にても検知可能なアクチェータ型のセンサが用いられる）により記録媒体の搬送方向長さの概略が判定される。この場合に、少なくとも同一記録媒体サイズの縦か横かを判断可能なセンサ配置が必要とされる。
【０００９】
可動記録媒体テーブル３は底板上昇モータ３７（図２）により図１に示すａ、ｂ方向に上下動可能な構成になっている。記録媒体がセットされたことをセットフィラー４及びセットセンサ５により検知すると、底板上昇モータ３７を正転させて記録媒体束の最上面がピックアップローラ７と接触するように可動記録媒体テーブル３を上昇させる。
ピックアップローラ７は、ピックアップモータ３３によってカム機構（図示せず）で図に示すｃ、ｄ方向に動作するとともに、可動記録媒体テーブル３が上昇し、可動記録媒体テーブル３上の記録媒体上面により押されてｃ方向に上がり、テーブル上昇検知センサ８により上限を検知可能となっている。
本体操作部４３でプリントキーが押下され、Ｉ／Ｆ４２を介して本体制御部４１からＩ／Ｆ４０を介してＡＤＦ制御部３９に記録媒体給紙信号が送信されると、ピックアップローラ７は給紙モータ３４の正転により回転駆動し、記録媒体テーブル２上の数枚（理想的には１枚）の記録媒体をピックアップする。
回転方向は、最上位の記録媒体を給紙口に搬送する方向である。給紙ベルト９は給紙モータ３４の正転により給紙方向に駆動され、リバースローラ１０は給紙モータ３４の正転により給紙と逆方向に回転駆動され、最上位の記録媒体とその下の記録媒体を分離して、最上位の記録媒体のみを給紙できる構成となっている。
【００１０】
さらに詳しく説明すると、リバースローラ１０は、給紙ベルト９と所定圧で接しかつ給紙ベルト９と直接接している時、又は記録媒体１枚を介して接している状態では、給紙ベルト９の回転につられて反時計方向に連れ回りし、記録媒体が、万が一、２枚以上給紙ベルト９とリバースローラ１０の間に侵入した時は連れ回り力がトルクリミッタのトルクよりも低くなるように設定されている。
リバースローラ１０は、本来の駆動方向である時計方向に回転し、余分な記録媒体を押し戻す働きをし、重送が防止される。給紙ベルト９とリバースローラ１０との作用により１枚に分離された記録媒体は給紙ベルト９によってさらに送られ、突き当てセンサ１１によって先端が検知され、さらに進んで停止しているプルアウトローラ１２に突き当たる。
その後、記録媒体は前出の突き当てセンサ１１の検知から定められた所定量に相当する距離送られ、結果的には、プルアウトローラ１２に所定量撓みを持って押し当てられた状態で給紙モータ３４を停止させることにより給紙ベルト９の駆動が停止する。
この時、ピックアップモータ３３を回転させることでピックアップローラ７を記録媒体上面から退避させ、記録媒体を給紙ベルト９の搬送力のみで送ることにより、記録媒体先端は、プルアウトローラ１２の上下ローラ対のニップに進入し、先端の整合（スキュー補正）が行われる。
【００１１】
プルアウトローラ１２は、前記スキュー補正機能を有するとともに、分離後にスキュー補正された記録媒体を中間ローラ１４まで搬送するためのローラで、給紙モータ３４の逆転により駆動される。また、この時（給紙モータ３４の逆転時）、プルアウトローラ１２と中間ローラ１４は駆動されるが、ピックアップローラ７と給紙ベルト９は駆動されていない。
記録媒体（原稿）幅センサ１３は奥行き方向に複数個並べられ、プルアウトローラ１２によって搬送された記録媒体の搬送方向に直交する幅方向のサイズを検知する。また、記録媒体の搬送方向の長さは記録媒体の先端後端を突き当てセンサ１１で読み取ることによりモータパルスから記録媒体の長さを検知する。
プルアウトローラ１２及び中間ローラ１４の駆動によりレジスト部Ｃからターン部Ｄに記録媒体が搬送される際には、レジスト部Ｃでの搬送速度を読み取り搬送部Ｅでの搬送速度よりも高速に設定して記録媒体を読み取り搬送部Ｅへ送り込む処理時間の短縮が図られている。
【００１２】
記録媒体先端が読み取り入口センサ１５により検出されると、読み取り入口ローラ１６の上下ローラ対のニップに記録媒体先端が進入前に、記録媒体搬送速度を読み取り搬送速度と同速にするために減速を開始する。
それと同時に、読み取り入口モータ３５を正転駆動して読み取り入口ローラ１６を駆動し、読み取り出口モータ３８を正転駆動して読み取り出口ローラ２３を駆動する。
記録媒体の先端をレジストセンサ１７にて検知すると、所定の搬送距離を掛けて減速し、読み取り位置２０の手前で一時停止するとともに本体制御部４１にＩ／Ｆ４０を介してレジスト停止信号を送信する。
続いて、本体制御部４１から読み取り開始信号を受信すると、レジスト停止していた記録媒体は読み取り位置２０に記録媒体先端が到達するまでに所定の搬送速度に立ち上がるように増速されて搬送される。
読み取り入口モータ３５のパルスカウントにより検出された記録媒体先端が第１面読み取り搬送部Ｅに到達するタイミングで、第１面読み取り搬送部Ｅを記録媒体後端が抜けるまで、本体制御部４１に対して第１面の副走査方向有効画像領域を示すゲート信号が送信される。
記録媒体の第１面読み取り中は、線速の関係は線速差１％以内で、読み取り入口ローラ１６線速≦読み取り出口ローラ２３線速の関係となっている。片面記録媒体読み取りの場合には、第２面の読み取りは行なわないため、第２面読み取りユニット２５とシェーディング基準機能を有するガイド部材２６の距離は０．５ｍｍ以上離し、できるだけ記録媒体を第２面読み取りユニット２５に接触させないようにする。
【００１３】
図３は本発明による第２面読み取りユニットとシェーディング部材（ガイド手段）の距離を変化させる距離可変装置を第２面読み取りユニットから離した状態で示す概略斜視図である。図４は図３の距離可変装置を第２面読み取りユニットに近接させた状態で示す概略斜視図である。
距離可変装置は、鎖線で示した第２面読み取りユニット２５の下に配置されたシェーディング部材であるガイド部材２６、このガイド部材２６の長手方向の一端にこれと直交する方向に配置されかつカム４４によって押し下げられるレバー４５、このレバー４５と対向してガイド部材２６の端部分に配置されるレバー４７、これらのレバー４５、４７を連結する連結部材である金属からなる軸４６、及びガイド部材２６の両端下部を弾力的に支持する圧縮ばね４８、４９から構成されている。
距離可変装置は、図示しないモータにより、図３に示すレバー４５と接触する位置に適宜配置されたカム４４を回転し、レバー４５を加圧して軸４６を支点にレバー４５を押し下げる。図示しないモータの回転角度は図示しないセンサによって制御され、適正な量だけ回転する。
【００１４】
カム４４がレバー４５を押し下げることによってシェーディング部材であるガイド部材２６が押し下げられる。レバー４５と軸４６及びレバー４７と軸４６の結合は、図示してないが、いずれもＤカット等のカップリング形状となっている。
カム４４によるレバー４５の回転は軸４６を介してレバー４７へ伝わり、図３に示すように、ガイド部材２６と第２面読み取りユニット２５との距離が離れることとなる。この構成では、ガイド部材２６を両端で支持しかつ加圧するが、ガイド部材２６の中央部付近を支持しかつ加圧するように構成することも可能である。
記録媒体の第１面読み取り中の線速の関係は線速差１％以内で、「第１読み取り出口ローラ２３線速≦第２読み取り出口ローラ２７線速」という関係なっており、撓みを作らない構成としている。第２面読み取り搬送部Ｆを通過した記録媒体は排紙部Ｇへ搬送される。
この際、排紙センサ２４により記録媒体の先端を検知すると、排紙モータ３６を正転駆動して排紙ローラ２８を反時計方向に回転させる。また、排紙センサ２４による記録媒体の先端検知からの排紙モータパルスカウントにより、記録媒体後端が排紙ローラ２８の上下ローラ対のニップから抜ける直前に排紙モータ駆動速度を減速させて、排紙トレイ２９上に排出される記録媒体が飛び出さないように制御される。
【００１５】
両面記録媒体を読み取る場合には、第２面読み取りユニット２５とシェーディング基準機能を有するガイド部材２６の距離を０．２ｍｍ程度にし、記録媒体を第２面読み取りユニット２５に接触させるようにする。
その際、図示しないモータによりカム４４を回転し、軸４６を支点にレバー４５を押し下げる力を解除する。図示しないモータの回転角度は図示しないセンサによって制御され適正な量だけ回転する。
上述したように、図示はしてないが、駆動手段、すなわち、モータを設けることでモード情報、すなわち、片面又は両面読み取りのモード情報に連動して自動で第２面読み取りユニット２５とシェーディング部材２６の距離を変更することができる。
これによって、モードによっての搬送経路の変更が可能となり品質に影響することなく第２面読み取りユニット２５の防汚性能の耐久性向上が可能となる。また、この場合に、モータを１つに纏めれば、省電力とすることが可能となる。
【００１６】
カム４４がレバー４５を押し下げる力を解除することによってシェーディング部材であるガイド部材２６は圧縮ばね４８、４９によって第２面読み取りユニット２５に近づき、図４に示すようにこれらの間の距離が狭くなる。
このように、シェーディング部材２６の両端部付近を支持／加圧することによって第２面読み取りユニットとシェーディング部材２６の距離を変化させる。複数の支持／加圧部材、すなわち、レバー４５、４７を繋ぐ部材である軸４６は金属からなっている。従って、十分な強度を確保することが可能となる。
また、複数の加圧部材、すなわち、レバー４５、４７は、これらを繋ぐ軸４６を支点として回動する。この支点からレバー４５、４７がシェーディング部材２６を加圧する点までの距離は、前記支点からレバー４５、４７を図示してない駆動手段で加圧する点よりも短くなっている。
【００１７】
記録媒体第１面読み取り中の線速の関係は線速差１％以内で、第１読み取り出口ローラ２３線速≧第２読み取り出口ローラ２７線速となり撓みを作る構成としている。第２面読み取り搬送部Ｆを通過した記録媒体は排紙部Ｇへ搬送される。
この際、排紙センサ２４により記録媒体の先端を検知すると、排紙モータ３６を正転駆動して排紙ローラ２８を反時計方向に回転させる。また、排紙センサ２４による記録媒体の先端検知からの排紙モータパルスカウントにより、記録媒体後端が排紙ローラ２８の上下ローラ対のニップから抜ける直前に排紙モータ駆動速度を減速させて、排紙トレイ２９上に排出される記録媒体が飛び出さないように制御される。
上述した本発明による距離可変装置を備えた画像読み取り装置をレーザプリンタ、ファクシミリ等の画像形成装置に搭載することによって、第２面読み取りユニット２５の防汚性能の耐久性向上が可能となり、異物による異常画像を長期間低減することが可能となる。
【図面の簡単な説明】
【００１８】
【図１】自動原稿搬送装置の全体構成を示す概略図である。
【図２】図１の自動原稿搬送装置の駆動制御部を示すブロック図である。
【図３】本発明による第２面読み取りユニットとシェーディング部材の距離を変化させる距離可変装置を第２面読み取りユニットから離した状態で示す概略斜視図である。
【図４】図３の距離可変装置を第２面読み取りユニットに近接させた状態で示す概略斜視図である。
【符号の説明】
【００１９】
ＡＤＦ  自動原稿搬送装置（被読み取り記録媒体処理装置）
Ｂ  分離部
Ｅ  第１面読み取り部
Ｆ  第２面読み取り部
１２  搬送手段（搬送ローラ）
１４  搬送手段（中間ローラ）
２５  第２面読み取りユニット
２６  ガイド手段（シェーディング部材、ガイド部材）
３４  駆動手段（給紙モータ）
４４  距離可変装置（カム）
４５  距離可変装置（レバー）
４６  距離可変装置連結部材（連結部材、軸）
４７  距離可変装置（レバー）
４８  距離可変装置（圧縮ばね）
４９  距離可変装置（圧縮ばね）
５０  画像形成装置（レーザプリンタ、ファクシミリ）
【図１】
2007329769.tif 000003
【図２】
2007329769.tif 000004
【図３】
2007329769.tif 000005
【図４】
2007329769.tif 000006